(57)【要約】      （修正有）【課題】主にスリーブ座体内に弾性的に設置されたストッパボルトの突出または収縮を利用し、引き違い式窓の内・外両サッシの開くことができる距離の制限を制御し、防護と避難の効果を容易に達することができる、アルミ製ドア及び窓用簡易ストッパ装置を提供する。【解決手段】アルミ製ドア及び窓用簡易ストッパ装置は、引き違い式アルミ製ドア・窓外サッシの横窓枠内側の適切な位置に取り付けられ、スリーブ座体１０内に弾性的に設置されたストッパボルト２０が上方向に突出されると、内・外の両サッシを開くことができる距離を制限することができ、且つスリーブ座体１０及びストッパボルト２０の側縁に少なくとも１つの対応するガイド溝１６と柱体２３が設けられ、ストッパボルト２０が下方向に押されると、柱体２３を位置決め溝１５内に導入し、ストッパボルト２０をスリーブ座体１０内に収納して固定でき、サッシの規制が解除されて自由に開放できる状態が回復される。【選択図】図４
0003144931.tif 000002
【実用新案登録請求の範囲】
【請求項１】
アルミ製ドア及び窓用簡易ストッパ装置であって、主に引き違い式アルミ製ドアまたは窓上に応用され、中空の円筒状を成したスリーブ座体、前記スリーブ座体内に弾性的に設置されたストッパボルト、バネ及び前記スリーブ座体底部に閉じ合わせられた端部キャップから構成され、そのうち、
前記スリーブ座体は上端部に外側に張り出した凸縁が設けられ、該凸縁下方の筒体の適切な位置に外サッシの横窓枠内側に嵌置することができる嵌置部が設けられ、また座体底端縁部に少なくとも１つの槽孔が形成され、該槽孔の一端が位置決め溝に連通され、且つ該位置決め溝がさらに上方向に延伸されたガイド溝に相通され、
前記ストッパボルトは上端に凹溝が設けられ、底端に凹陥部が形成され、該凹陥部内にバネが設置され、またボルト側縁に前記槽孔に対応する柱体が設けられ、前記スリーブ座体上の槽孔を利用し、前記柱体を前記位置決め溝内に導入し、前記ストッパボルトを前記スリーブ座体内に弾性的に収納して位置決めすることができ、使用時には前記位置決め溝に連通された前記ガイド溝により、前記ストッパボルトを上方向に突出させ、内・外の両サッシの開くことができる距離を制限することができるよう構成したことを特徴とする、アルミ製ドア及び窓用簡易ストッパ装置。
【請求項２】
前記スリーブ座体の槽孔、位置決め溝、ガイド溝が前記ストッパボルトの柱体と相互に入れ替えて設計可能であり、前記槽孔が前記ストッパボルト上縁に設けられ、且つ前記位置決め溝に連通され、且つ該位置決め溝が下方向に延伸されたガイド溝と相通され、前記柱体は前記スリーブ座体内縁に対応して設置され、前記ストッパボルトの槽孔を前記スリーブ座体の柱体に対応させて取り付け、且つ前記柱体を前記位置決め溝内に導入し、前記ストッパボルトを前記スリーブ座体内に弾性的に収納して位置決めすることができることを特徴とする、請求項１に記載のアルミ製ドア及び窓用簡易ストッパ装置。
【請求項３】
前記ガイド溝の上端に少なくとも１つの嵌入溝を連通させて設けたことを特徴とする、請求項１または２に記載のアルミ製ドア及び窓用簡易ストッパ装置。 
【請求項４】
前記位置決め溝の端部に掛止部を設けたことを特徴とする、請求項１または２に記載のアルミ製ドア及び窓用簡易ストッパ装置。
【請求項５】
前記嵌入溝の端部に掛止部を設けたことを特徴とする、請求項３に記載のアルミ製ドア及び窓用簡易ストッパ装置。
【請求項６】
前記ガイド溝が螺旋状に形成されたことを特徴とする、請求項１または２に記載のアルミ製ドア及び窓用簡易ストッパ装置。
【請求項７】
前記スリーブ座体の嵌置部が、上端部に設けられた前記凸縁の下端面と、筒体の両側に設けられた凸部の上端面により形成された間隙であり、前記スリーブ座体を横窓枠の内側にあらかじめ設けた成型孔部内に取り付け、且つ、一定角度回転させて嵌置固定することができるよう構成したことを特徴とする、請求項１または２に記載のアルミ製ドア及び窓用簡易ストッパ装置。 
【請求項８】
前記スリーブ座体の嵌置部が、上端部に設けられた前記凸縁の下端面と、筒体に周設された略環状凸部の上縁により形成された間隙であり、前記スリーブ座体を直接横窓枠内側にあらかじめ設けた孔の中に押し込んで嵌置固定することができることを特徴とする、請求項１または２に記載のアルミ製ドア及び窓用簡易ストッパ装置。
【請求項９】
前記ストッパボルトの凹陥部内に内部環状壁を設け、且つ前記内部環状壁内にもバネを設置したことを特徴とする、請求項１または２に記載のアルミ製ドア及び窓用簡易ストッパ装置。
【請求項１０】
前記スリーブ座体の内孔壁と前記ストッパボルトの側壁を斜錐状に設計したことを特徴とする、請求項１または２に記載のアルミ製ドア及び窓用簡易ストッパ装置。
【請求項１１】
前記ストッパボルトの凹陥部内に空間を設けてリードセンサを設置し、且つ該空間の底端部にカバーを設置し、前記カバー上に軸孔を設け、また前記スリーブ座体底部の端部キャップ上にも穿通孔を設け、前記リードセンサのワイヤを前記軸孔と穿通孔から前記スリーブ座体外部に穿設し、接続端子と電気的に接続したことを特徴とする、請求項１または２に記載のアルミ製ドア及び窓用簡易ストッパ装置。
【請求項１２】
前記リードセンサが振動センサで代替可能であることを特徴とする、請求項１０に記載のアルミ製ドア及び窓用簡易ストッパ装置。
【請求項１３】
前記ストッパボルトの凹陥部内に空間を設けてタクトスイッチを設置し、前記空間の側部に通孔を設け、前記タクトスイッチを前記空間の該通孔から外に穿出させて軸留め輪で留め、且つ、前記空間底端部にカバーを設置し、該カバー上に軸孔を設け、また前記スリーブ座体底部の端部キャップ上にも穿通孔を設け、前記タクトスイッチのワイヤを前記軸孔と穿通孔から前記スリーブ座体外部に穿設し、接続端子と電気的に接続したことを特徴とする、請求項１または２に記載のアルミ製ドア及び窓用簡易ストッパ装置。
【請求項１４】
前記ストッパボルト底端の凹陥部内に内部環状壁を設け、該内部環状壁の底端に長孔を形成し、該長孔の両側に掛止片を設け、前記端部キャップ上に凸柱を設置し、該凸柱上端に掛止端部を設けたことを特徴とする、請求項１または２に記載のアルミ製ドア及び窓用簡易ストッパ装置。
【請求項１５】
前記ストッパボルト底端の凹陥部内に空心管を設け、該空心管の底端に張り出し凸縁部を設置し、該張り出し凸縁部の両側に平面を形成し、前記端部キャップ上に管柱体を設置し、該管柱体上端に成型孔を設けたことを特徴とする、請求項１または２に記載のアルミ製ドア及び窓用簡易ストッパ装置。
【考案の詳細な説明】
【技術分野】
【０００１】
本考案は引き違い式アルミ製ドア・窓上に適用する簡易ストッパ装置に関し、特に、内・外の両サッシの開けることができる距離を制御して家の中の児童が誤って開いた窓から転落することがないよう防止すると共に、防犯警告効果を備えた、アルミ製ドア及び窓用簡易ストッパ装置に関する。
【背景技術】
【０００２】
現今、アルミ製のドア・窓はすでに広く建築物に使用されており、使用者はサッシを開いたとき、より安全な防護効果を得るため、往々にして窓の外に鉄格子やアルミ格子を追加設置して防護を行っているが、これは児童の転落事故の発生を防止することはできるものの、相対して避難の妨げともなり、消防士が火災現場に入り救命や消火活動を行う際の邪魔となる。また、多くの高級住宅は建築物の外観を保護する規定の制限のため、窓の外に鉄格子の柵を取り付けることができない場合もある。このため、使用者の間では通常アルミ製の窓にストッパを取り付け、その内外のサッシの開くことができる距離を制限し、児童の転落事故の発生を防ぐことが行われている。例えば、台湾特許公告第I２８６５８６号「アルミ製窓位置規制装置」は主に座体、少なくとも１つのロックユニット及び少なくとも１つの弾性ストッパを含み、そのうち、座体上にチャンバが設けられ、前記弾性ストッパがそこに収容され、同時に該チャンバの一側に前記ロックユニットが設置され、ロックユニットを利用して弾性ストッパのチャンバ内での弾性的突出と収縮を制御し、位置決めを行うものである。ストッパが突出すると、引き違い式サッシの開くことができる距離を規制することができ、反対にストッパが収縮すると、アルミ製窓は一般のサッシの全開機能を回復することができる。
【０００３】
この規制装置のストッパが突出されたとき、ロック機能も形成され、児童が上ることができない安全なな窓を形成し、保全効果が発揮され、また緊急の状況が発生したとき、ストッパをチャンバ内に収縮させ、サッシを全開可能にして使用することもできるが、前記ストッパがロックユニットにより制御されるため、毎回の使用時、ストッパを突出または収縮させるいずれの際にも、キーでロックユニットを駆動する必要があり、使用上非常に不便である。また、構成部材も比較的多く、組み立て工程が煩雑で、製造コストが高く、また児童がロックユニットを簡単に開けることができないよう、親は往々にしてキーを隠してしまっておくが、緊急事態の発生時にキーが見つからないと、安全上の問題ともなってしまう。
【０００４】
これに鑑みて、本考案の考案者は関連産業に従事した長年の経験に基づいて、上述の欠点に対し研究を重ね、この構造が簡単で迅速に組み立てられ、且つより便利に使用できるアルミ製ドア及び窓用簡易ストッパ装置の開発に至ったものであり、消費者の使用に提供する。
【考案の開示】
【考案が解決しようとする課題】
【０００５】
本考案の主な目的は、主にスリーブ座体内に弾性的に設置されたストッパボルトの突出または収縮を利用し、引き違い式窓の内・外両サッシの開くことができる距離の制限を制御し、防護と避難の効果を容易に達することができる、アルミ製ドア及び窓用簡易ストッパ装置を提供することにある。
【０００６】
本考案の別の目的は、構造が簡単で迅速に組み立てられ、製造コストを抑えることができ、且つ使用に便利で安全な、アルミ製ドア及び窓用簡易ストッパ装置を提供することにある。
【課題を解決するための手段】
【０００７】
上述の目的を達するため、本考案は主に中空の円筒状を成し、且つ上端部に外側に張り出した凸縁を備えたスリーブ座体が設けられ、且つ凸縁下方の筒体の適切な箇所に外サッシの横窓枠の内側に嵌置するための嵌置部が設けられ、バネがスリーブ座体内のストッパボルトに弾性的に設置され、さらにスリーブ座体の底部に端部キャップが閉じ合わせられ、そのうち、前記スリーブ座体とストッパボルトの側縁に少なくとも１つの相互に対応するガイド溝と柱体が設置され、ストッパボルトを下方向に押したとき、柱体が導引されてガイド溝端部に連通された位置決め溝中に嵌入され、ストッパボルトを収縮させてスリーブ座体内に収納して固定し、内外サッシを開放した状態にして任意の位置まで開くことができ、反対に、柱体がガイド溝の位置まで移動されると、前記ストッパボルトがバネの弾力で上方向に突出され、これにより、前記突出したストッパボルトを利用して内・外の両サッシにあらかじめ定めた一定の距離のみ開けることができるよう規制することができる。ストッパ内にはリードセンサまたは振動センサ、タクトスイッチなどを設置し、外力による侵入時に警報音を発するようにしてもよく、且つホストにトリガ信号を送信し、ホストから受信端に送信するようにすると、同時に防犯、警告及び警備通報の作用を発揮することができる。
【考案を実施するための最良の形態】
【０００８】
本考案のその他特徴及び具体的な実施例について、以下図面に基づき詳細に説明する。
【実施例１】
【０００９】
同時に図１から図３に示すように、本考案の簡易ストッパは主に引き違い式アルミ製ドア・窓上に応用するものであり、スリーブ座体１０、弾性的に設置されたストッパボルト２０、バネ３０及び底部に閉じ合わせられた端部キャップ４０から構成される。前記ストッパボルト２０の突出または収縮を利用して、内・外の両サッシ５０、５１を任意に引き違い式で移動させた開放状態とするか、あらかじめ定めた距離に制限した規制状態（図５参照）とすることができ、使用上非常に安全で便利である。
【００１０】
上述のスリーブ座体１０は中空の円筒状を成し、上端部に外側に張り出した凸縁１１が設けられ、該凸縁１１の下方の筒体両側にそれぞれ凸部１２が設けられ、該凸部１２の上端面と凸縁１１の下端面に形成された間隙が嵌置部１３を成し、外サッシ５１の横窓枠５２内側に嵌置することができる (図４、図５参照)。また、スリーブ座体の底部端縁に少なくとも１つの槽孔１４が設けられ、且つ該槽孔１４の一端が位置決め溝１５に連通され、該位置決め溝１５がさらに上方向に延伸されたガイド溝１６に相通され、且つ該ガイド溝１６の上端部が嵌入溝１７に連通される。本実施例において、前記位置決め溝１５と嵌入溝１７は前記ガイド溝１６を介して相通され、且つ位置決め溝１５と嵌入溝１７の端部にそれぞれ掛止部１８、１８’が形成される。
【００１１】
ストッパボルト２０は上端に凹溝２１が設けられ、底端に凹陥部２２が形成され、バネ３０を挿入して設置することができ、またストッパボルトの側縁に上述の槽孔１４に対応する柱体２３が設置される。
【００１２】
組み立て時は、まずストッパボルト２０をスリーブ座体１０後方から挿入し、且つその柱体２３と槽孔１４を相互に対応させ、ストッパボルト２０底端の凹陥部２２内にバネ３０を設置した後、さらに端部キャップ４０をスリーブ座体１０底端に閉じ合わせて固定し、該ストッパボルト２０をスリーブ座体１０内に弾性的に設置する。
【００１３】
同時に図４から図８に示すように、本考案はアルミ製ドア・窓の外サッシ５１内側の横窓枠５２の適当な位置に取り付けることができ、本実施例は下方の横窓枠５２を例として説明する。外サッシの横窓枠５２の製造時にあらかじめ成型孔部５３を形成し、さらにストッパのスリーブ座体１０外部の凸部１２を前記成型孔部５３上に形成した凹部５４に合わせて挿入し（図４参照）、且つ一定角度回転させて筒体の嵌置部１３を成型孔部５３の縁部に掛止して固定する（図６参照）。これにより、本考案をアルミ製ドア・窓上に取り付けて使用することができる（図５参照）。
【００１４】
図２、図３、図５、図６に示すように、取り付けが完了したストッパの使用時は、ストッパボルト２０の柱体２３をスリーブ座体１０のガイド溝１６内に導入し、且つ内部のバネ３０の弾力でストッパボルト２０を上方向に突出させ、ストッパボルト２０の柱体２３をガイド溝１６上端部に移動させて回転させ、該柱体２３をガイド溝１６上端に連通された嵌入溝１７内に導入し、且つ溝の端部に設けられた掛止部１８’に掛止して固定する（図６参照）。これにより、上方向に突出したストッパボルト２０を利用して内・外の両サッシ５０、５１の開くことができる距離を制限し、児童が窓の外に転落するのを防ぐ効果が得られる。反対に、ストッパの作用を解除したいとき、使用者は同時に下方向への押圧と回転の動作を行う必要があり、柱体２３に嵌入溝１７の掛止部１８’を離脱させると同時にガイド溝１６内へと移動させ、且つ再度ストッパボルト２０を押圧して栓体を収縮させた後、栓体を回転させてその柱体２３をガイド溝１６底部に連通された位置決め溝１５内に導入し、且つ柱体２３を該溝端に設けられた掛止部１８に掛止して固定する。これにより、ストッパボルト２０をスリーブ座体１０内部に完全に収納し、サッシのストッパによる制限を解除する効果が達せられ、内・外の両サッシ５０、５１が完全に開放された状態となる。
【００１５】
本考案はストッパボルト２０底部に設けたバネ３０を利用して弾性的に突出されてストッパの作用が達せられるため、収納時には該ストッパボルトの柱体２３をスリーブ座体１０の位置決め溝１５内に導入し、バネ３０が圧縮された後、そのものの弾性張力でストッパボルト２０を固定する。使用中にストッパボルト２０を突出させたいときは、ストッパボルト２０を回転させて柱体２３をスリーブ座体１０のガイド溝１６内に導入するだけで、バネ３０の弾性張力によりストッパボルト２０を上方向に突出させることができる。ストッパボルト２０を引っ込ませるとき、使用者が下方向への押圧の動作だけを行い、同時に回転動作で柱体２３を位置決め溝１５内に導入して位置決めすることをしなければ、該ストッパボルト２０は弾性張力により継続して突出した状態を保持し、ストッパとしての作用を発揮し続ける。
【００１６】
図７、図８に本考案のスリーブ座体１０の別の実施例を示す。製品の適用性を向上し、消費者に使用上の更なる利便性を提供するため、本考案はスリーブ座体１０の筒体上に略環状凸部１２’を周設し、且つ該略環状凸部１２’の上縁と上端部の凸縁１１の下端面の間隙に嵌置部１３を形成することができる。これにより、使用者は既有のアルミ製ドア・窓の外サッシの横窓枠５２の適切な箇所に自ら適当な大きさの孔を開け、本考案を直接横窓枠５２の孔に押し込み、その嵌置部１３を孔縁に嵌置して固定するだけでよい（図８参照）。
【００１７】
さらに、本考案はスリーブ形態の組み立て構造設計であるため、製造時に金型の離型方向と角度の設計によってスリーブ座体１０の内孔壁aとストッパボルト２０の側壁bを斜錐状に設計することができ(図８参照)、これによりストッパボルト２０上の柱体２３に断裂が発生した場合も、該ストッパボルトが側壁bと内孔壁aの斜錐状の設計によって相互に引っ掛かるため、ストッパボルト２０がスリーブ座体１０から外れてしまってストッパの作用が失われ、使用者が気づかない状態下で安全上の問題が引き起こされることがない。
【００１８】
図９、図１０に示すように、本考案のスリーブ座体１０上のガイド溝１６の設計は、上方向に延伸された螺旋状に設計することもでき、且つ螺旋状の溝の上端部に複数のガイド溝１６に交差する嵌入溝１７’を形成し、ストッパボルト２０が突出されるとき、その柱体２３を該嵌入溝１７’上端部内に嵌入させて固定することができる。該ストッパボルト２０が外力の押圧を受けた場合、該柱体２３が下方向に移動して嵌入溝１７’下端部に嵌入され、該柱体２３を円滑に旋回させてガイド溝１６内に導入することができないため、より一層の防護作用が形成され、児童が遊んでいるときにストッパボルト２０が下方向へ押圧されてしまい収納されるのを回避することができ、また柱体２３がガイド溝１６に導入されてしまっても、多段式の嵌入溝１７’の設計により、柱体２３をいずれか１つの溝１７’内に嵌入させることができる。且つ、前記ガイド溝１６は螺旋状の設計であるため、ストッパボルト２０を収納したいときは、コインや工具などを使用して栓体上端に設計された凹溝２１を利用し、ストッパボルト２０を回動させ、使用者の手部をガイド溝１６の螺旋状に伴って回転させる必要があるため、本考案の収納時の困難度が増加され、本製品の安全性が向上される。
【００１９】
図１１、図１２に本考案のスリーブ座体の別の実施例の設計を示す。スリーブ座体１０を２つの螺旋状ガイド溝に設計した実施例である。主にスリーブ座体１０の両側に相通された槽孔１４、位置決め溝１５’及び嵌入溝１７’がそれぞれ設けられ、且つ該ストッパボルト２０の側辺に相対する２つの柱体２３が設けられ、また該ストッパボルト底端の凹陥部内に内部環状壁２４が設けられ、且つ該内部環状壁２４内部にバネ３０’をさらに増設することができ、これにより製品の構造性を強化し、且つ本考案の使用時の安定性と円滑性を向上することができる。
【実施例２】
【００２０】
図１３に示すように、上述で言及した各実施例において、スリーブ座体１０上の槽孔１４、位置決め溝１５、１５’、ガイド溝１６及び嵌入溝１７、１７’はすべてストッパボルト２０の柱体２３と相互に入れ替えた設計とすることもできる。図１３の本実施例において、柱体１９はスリーブ座体１０’の内縁部に設けられ、ストッパボルト２０’の上縁には対応する槽孔２５が形成され、且つ位置決め溝２６に連通され、該位置決め溝２６は下方向に延伸されたガイド溝２７と相通されると共に、ガイド溝２７底端部には複数の嵌入溝２８が形成され、これにより、ストッパボルト２０’の槽孔２５をスリーブ座体１０’の柱体１９に対応させて取り付け、且つ柱体１９を位置決め溝２６内に導入し、ストッパボルト２０’を弾性的にスリーブ座体１０’内に収納して位置決めすることができる。ストッパボルト２０’を突出させたいときは、柱体１９をガイド溝２７に沿って嵌入溝２８内に導入して固定すればよく、同等の効果を達することができる。
【実施例３】
【００２１】
図１４に示すように、本考案のストッパ２０は内・外の両サッシの開くことができる距離を制御するために用いることができるだけでなく、同時に警報トリガ信号を送信する効果を備えたセキュリティ、警告システムに応用することができ、主にストッパボルト２０の凹陥部２２内に空間２９を設け、該空間２９内にリードセンサ３１を取り付け、該リードセンサは振動センサで代替することもでき、且つ空間２９底端部にカバー３２を設置し、該カバー３２上に軸孔３３を設け、またスリーブ座体１０底部に閉じあわされた端部キャップ４０上にも穿通孔４１を形成し、該リードセンサ３１のワイヤを軸孔３３と穿通孔４１からスリーブ座体外部に穿通させて接続端子と電気的に接続し、これにより該接続端子を発報器上に接続することで、ストッパボルト２０が上方向に突出されたとき、サッシが開かれてリードセンサ３１が触発されると警報音が作動し、且つホストに対してトリガ信号が送信され、さらにホストから受信端へと伝送され、同時に防犯、警告及び警備通報の作用を発揮することができる。
【００２２】
図１５に示すように、本考案のストッパ２０の前記空間２９内に取り付けるリードセンサは、タクトスイッチ３４に変更することもでき、前記空間２９の側部に通孔３５を設け、タクトスイッチ３４を空間内から通孔３５外に向かって穿出させた後、軸留め輪３６で留め、タクトスイッチ３４のトリガボタン３７をストッパボルト２０の平面外に突出させ、トリガボタン３７の突出高さはストッパボルト２０外側輪郭より高くならないよう制限し、ストッパボルト２０が円滑にスリーブ座体１０内で伸縮できるようにする必要がある。タクトスイッチ３４を上述のストッパボルト２０の通孔３５内に取り付け、且つワイヤで発報器上に電気的に接続し、且つストッパボルト２０が上方向に突出されたとき、サッシが開かれるとタクトスイッチ３４のトリガボタン３７が触発され、ホストに向かってトリガ信号を送信し、ホストがさらに信号を受信端へ送信し、同時に防犯、警告の作用を得ることができる。
【実施例４】
【００２３】
図１６から図１８に本発明の別の実施例の構造を示す。スリーブ座体１０上のガイド溝１６を上方向に延伸された螺旋状に設計し、該ガイド溝１６は一槽式とするか、或いは図に示すように二槽式とすることもでき、且つ螺旋状のガイド溝の上端部に複数のガイド溝１６に交差した嵌入溝１７’を形成し、さらにストッパボルト２０の側辺に相対する２つの柱体２３を設け、また該ストッパボルト底端の凹陥部内に内部環状壁２４を設置し、内部環状壁２４の底端に長孔２４aを形成し、長孔２４aの両側に掛止片２４bを形成する。さらに端部キャップ４０上に凸柱４２を設け、該凸柱上端に掛止端部４３を形成する。組み立て時は、バネ３０を凹陥部の該内部環状壁２４外縁に被せて設置し、端部キャップ４０上の凸柱４２の上端の掛止端部４３を長孔２４aに穿入させた後一定角度旋回させ、その後端部キャップ４０を高周波溶接加工でスリーブ座体１０底端に閉じ合わせて固定する。
【００２４】
ストッパボルト２０を収納または伸出させたいときは、コインまたは工具を使用し、栓体上端に設計された凹溝２１を利用してストッパボルト２０を回転させる。ストッパボルト２０の柱体２３をガイド溝１６の螺旋状に沿わせて回転させて、該ストッパボルト２０を突出させることができ、このとき掛止片２４bは掛止端部４３が離脱しないよう確保する。
【実施例５】
【００２５】
図１９から図２１に示す本発明の別の実施例の構造において、スリーブ座体１０の構造は図１６の実施例と同じである。ストッパボルト２０の側辺にも相対する２つの柱体２３を設置し、また該ストッパボルト底端の凹陥部内に空心管２４cを設け、該空心管２４ｃの底端に張り出し凸縁部２４ｄを形成し、該張り出し凸縁部２４ｄの両側に平面２４eを形成する。端部キャップ４０上には管柱体４４を設け、該管柱体上端に成型孔４５を形成する。組み立て時は、バネ３０(または増設したバネ３０’)を凹陥部の該内部環状壁２４外縁(または空心管２４ｃ内部)に設置し、端部キャップ４０上の管柱体４４を空心管２４ｃの底端に被せて穿入させた後、一定の角度回転させて張り出し凸縁部２４ｄを成型孔４５に掛止させ、その後端部キャップ４０を高周波溶接加工でスリーブ座体１０底端に閉じ合わせて固定する。
【００２６】
ストッパボルト２０を収納または伸出させたいときは、同様にコインまたは工具を使用して栓体上端に設計された凹溝２１を利用し、ストッパボルト２０を回転させる。ストッパボルト２０の柱体２３をガイド溝１６の螺旋状に沿わせて回転させて、該ストッパボルト２０を突出させることができ、このとき張り出し凸縁部２４dと成型孔４５の掛止により２つの部材が離脱しないよう確保する。
【００２７】
上述をまとめると、本考案のアルミ製ドア及び窓用簡易ストッパ装置は簡易な構成部材で予期した目的を達することができ、使用上より安全かつ便利であり、産業的利用価値を備えている新規的な設計であるため、法に基づき実用新案登録を出願するものである。
【００２８】
以上の説明は、本考案の最良の実施例に基づくものであり、本考案の実施の範囲を制限するものではなく、本考案の請求の範囲及び明細書の内容を運用した簡単な同等効果を持つ変化や修飾はすべて本考案の特許範囲内に含まれるものとする。
【図面の簡単な説明】
【００２９】
【図１】本考案の立体分解図である。
【図２】本考案の立体外観図である。
【図３】本考案の断面図である。
【図４】本考案の取り付けを示す立体図である。
【図５】本考案の使用例を示す立体図である。
【図６】本考案のストッパボルトの動作を示す側面図である。
【図７】本考案のスリーブ座体の別の実施例を示す立体図である。
【図８】図７のスリーブ座体を応用したときのストッパボルトの動作を示す側面図である。
【図９】本考案のスリーブ座体の別の実施例であり、螺旋状のガイド溝の設計とした実施例を示す立体図である。
【図１０】図９のスリーブ座体を応用したときのストッパボルトの動作を示す側面図である。
【図１１】本考案のスリーブ座体のさらに別の実施例であり、２つの螺旋状のガイド溝の設計とした実施例を示す立体図である。
【図１２】図１１のスリーブ座体を応用したときのストッパボルトの動作を示す断面図である。
【図１３】本考案の実施例２の立体分解図である。
【図１４】本考案の実施例３の立体分解図である。
【図１５】本考案のリードセンサをタクトスイッチで代替した実施例の立体分解図である。
【図１６】本発明の実施例４の立体分解図である。
【図１７】図１６の実施例を応用して組み立てた後の断面図であり、ストッパボルトが収縮された状態を示す。
【図１８】図１６の実施例を応用して組み立てた後の断面図であり、ストッパボルトが突出した状態を示す。
【図１９】本発明の実施例５の立体分解図である。
【図２０】図１９の実施例を応用して組み立てた後の断面図であり、ストッパボルトが収縮された状態を示す。
【図２１】図１９の実施例を応用して組み立てた後の断面図であり、ストッパボルトが突出した状態を示す。
【符号の説明】
【００３０】
a      内孔壁
b      側壁
１０、１０’      スリーブ座体
１１      凸縁
１２      凸部
１２’      略環状凸部
１３      嵌置部
１４      槽孔
１５、１５’      位置決め溝
１６      ガイド溝
１７、１７’      嵌入溝
１８、１８’      掛止部
１９      柱体
２０、２０’      ストッパボルト
２１      凹溝
２２      凹陥部
２３      柱体
２４      内部環状壁
２４a      長孔
２４b      掛止片
２４c      空心管
２４d      張り出し凸縁部
２４e      平面
２５      槽孔
２６      位置決め溝
２７      ガイド溝
２８      嵌入溝
２９      空間
３０、３０’      バネ
３１      リードセンサ
３２      カバー
３３      軸孔
３４      タクトスイッチ
３５      通孔
３６      軸留め輪
３７      トリガボタン
４０      端部キャップ
４１      穿通孔
４２      凸柱
４３      掛止端部
４４      管柱体
４５      成型孔
５０      内サッシ
５１      外サッシ
５２      横窓枠
５３      成型孔部
５４      凹部
【図１】
0003144931.tif 000003
【図２】
0003144931.tif 000004
【図３】
0003144931.tif 000005
【図４】
0003144931.tif 000006
【図５】
0003144931.tif 000007
【図６】
0003144931.tif 000008
【図７】
0003144931.tif 000009
【図８】
0003144931.tif 000010
【図９】
0003144931.tif 000011
【図１０】
0003144931.tif 000012
【図１１】
0003144931.tif 000013
【図１２】
0003144931.tif 000014
【図１３】
0003144931.tif 000015
【図１４】
0003144931.tif 000016
【図１５】
0003144931.tif 000017
【図１６】
0003144931.tif 000018
【図１７】
0003144931.tif 000019
【図１８】
0003144931.tif 000020
【図１９】
0003144931.tif 000021
【図２０】
0003144931.tif 000022
【図２１】
0003144931.tif 000023